(57)【要約】【課題】球送り部材における球噛みを防止する。【解決手段】球送り部材４６の上流にある遊技球Ｂは突条部３８，３９，５８，５９及び６０，６１，７５，７６で軌道を狭められるので、線条存在区間内の遊技球の移動を円滑にでき、球送り部材４６での球噛み現象を防止できる。遊技球Ｂは線条３８，３９，５８，５９及び６０，６１，７５，７６で軌道を狭められているので、球通路３１，３２を安定的に落下する。遊技球Ｂは、球検出器４３，４５に不規則に衝突しなくなるので、チャタリングと、球検出器４３，４５の破損が防止できる。【選択図】図７
2004267276.tif 000002
【特許請求の範囲】
【請求項１】
遊技球供給口と遊技球排出口とを有する遊技球の通路と、
該通路に駆動可能に設けた球送り部材と、
該球送り部材を駆動させる駆動モータ部と、
を備え、該球送り部材の駆動によって遊技球を払い出す遊技球の払出装置において、
前記遊技球の流下方向に対する通路断面積を狭くする突出部又は傾斜面を前記通路の内壁面に形成することを特徴とする遊技球の払出装置。
【請求項２】
前記突出部は、前記内壁面の周方向に間隔をあけて形成される複数の突起であることを特徴とする請求項１の遊技球の払出装置。
【請求項３】
前記傾斜面は、遊技球の流下方向に沿って徐々に断面積が狭くなるように形成されることを特徴とする請求項１の遊技球の払出装置。
【請求項４】
前記傾斜面は、平面視で台形又は三角形状であることを特徴とする請求項３の遊技球の払出装置。
【請求項５】
前記遊技球排出口の径は、遊技球検出部の球通過感知穴の大きさと実質的に同一に設定されることを特徴とする請求項１乃至４いずれかの遊技球の払出装置。
【請求項６】
球送り部材の上流にある前記通路の断面積を狭くすることを特徴とする請求項１乃至５いずれかの遊技球の払出装置。
【請求項７】
球送り部材のある前記通路の内部を狭くしたことを特徴とする請求項１乃至６いずれかの遊技球払出装置。
【請求項８】
前記遊技球排出口に設けられ、遊技球が通過すると検出信号を出力する遊技球検出器を備えることを特徴とする請求項１乃至７いずれかの遊技球払出装置。
【発明の詳細な説明】
【０００１】
【発明の属する技術分野】
本発明は、パチンコ遊技機に補給されている遊技球を貸球あるいは賞球として球受皿に払い出す遊技球の払出装置に関する。
【０００２】
【従来の技術】
遊技球を貸球あるいは賞球に分配して受け皿に排出させる遊技球払出装置に関して様々な発明がなされている。これらの従来技術では、パチンコ遊技機の球タンクから球供給路に流下した遊技球を、球供給路の下端に接続した払出装置で球流下路に流下させる。通常、球流下路には球通過センサが設けられ、流下する遊技球を検出している。また、パチンコホール（遊技場）によって使用する遊技球の大きさが違うこと、遊技球の規格が違うことなどを考慮して、遊技球の払出装置では、球供給路と球流下路の幅を遊技球の直径よりも大きくして流下する遊技球にガタが発生するようにしている。これは遊技球が直列的に積み重なるのではなく、左右に位置がずれながら積み重なるわけである。これは、遊技球の供給時に、球タンクから連なった上方の遊技球から下の遊技球に加わる圧力を球供給路と球流下路の壁面に逃がし、球払出装置に加わる応力を小さくし、球詰まりを防止するためである。
【０００３】
【特許文献１】特開２０００−１１６８９７
パチンコ球を爪車の正逆転によって２つの球払出通路に払い分けをするパチンコ遊技機の球払出装置であって、モータを共振領域を避けて安定して回転させることができるようにし、トルク不足による球噛み等の発生を防止する。そのため、パチンコ球を一列に整列して流下させる球供給筒１０が貸球払出通路１４と賞球払出通路１５に分岐する分岐部３７に払出ロータ１６を設け、払出ロータの回転軸４０に大径歯車４１を固着し、大径歯車に正逆転可能なモータ１７の出力軸４２に固着したピニオン４３を噛合させ、球貸出要求信号または入賞球検出信号に基づき該払出ロータを正転または逆転させることでパチンコ球を貸球払出通路または賞球払出通路に流下させ、共通の球流下路を流下する賞球と貸球を区別してカウントする。
【特許文献２】特開２０００−２４５９４２８
払出装置１５から払い出されるパチンコ球の球流下路１６にパチンコ球の通過を検出する球通過センサ１７を設ける。賞球払出期間（払出装置１５が賞球払出動作を開始してから最後の賞球が球通過センサ１７の検出位置を通過し終えるまでの期間）中、メイン制御回路２１は、信号切換器２３を「賞球カウント状態」に切り換えて、球通過センサ１７の検出信号を賞球検出信号として取り込み、賞球払出数をカウントする。一方、貸球払出期間（払出装置１５が貸球払出動作を開始してから最後の貸球が球通過センサ１７の検出位置を通過し終えるまでの期間）中、払出制御回路２２は、信号切換器２３を「貸球カウント状態」に切り換えて、球通過センサ１７の検出信号を貸球検出信号として取り込み、貸球払出数をカウントするものである。
【０００４】
【発明が解決しようとする課題】
しかしながら、従来の技術では、球供給路や球流下路の内部を流下する遊技球は、ガタによる遊技球の不規則な動きにより球流下路の内部を通過する際に、球払出装置の球送り部材で球噛み現象を起こすといった問題もあった。また、球検出器の上流で生する遊技球のガタにより、球検出器においてチャタリング（同じ遊技球を２度検出すること）を起こしてしまうという問題があった。
【０００５】
本発明は、従来の技術の有するこのような種々の問題点に鑑みなされたものであり、その目的とするところは、球送り部材での球噛み現象の防止、或いはチャタリングの防止と、を課題とするものである。
【０００６】
【課題を解決するための手段及び効果】
請求項１の払出装置は、遊技球供給口と遊技球排出口とを有する遊技球の通路と、該通路に駆動可能に設けた球送り部材と、該球送り部材を駆動させる駆動モータ部と、を備え、該球送り部材の駆動によって遊技球を払い出す遊技球の払出装置において、前記遊技球の流下方向に対する通路断面積を狭くする突出部又は傾斜面を前記通路の内壁面に形成することを特徴とする遊技球の払出装置である。
【０００７】
請求項１記載の払出装置によれば、通路の適宜区間の断面積を狭くすることで、その区間内の遊技球の移動を円滑にできるので、球送り部材での球噛み現象を防止できる。球噛み現象を防止することで、モータを小型化でき、払出装置の小型化、コストダウン、球送りの高速化が実現できる。
【０００８】
請求項２の払出装置の前記突出部は、前記内壁面の周方向に間隔をあけて形成される複数の突起であることが好ましい。これにより、前記課題が好適に解決できる上、一層のコストダウンが可能である。突出部は前記通路の壁面に一体成形されることが好ましい。突出部の位置は、壁面の隅でも良いし、隅以外の壁でもよい。
【０００９】
請求項３の払出装置の前記傾斜面は、遊技球の流下方向に沿って徐々に断面積が狭くなるように形成されることが好ましい。これにより、前記課題が好適に解決できる上、徐々に断面積を狭めるので、遊技球の流下や移動がより円滑に成るという効果がある。
【００１０】
請求項４の払出装置は、前記傾斜面は、平面視で台形又は三角形状であることが好ましい。これにより、前記課題が好適に解決できる上、徐々に断面積を狭めるので、簡素な構成で遊技球の流下や移動の円滑化が実現できる。
【００１１】
請求項５の払出装置の前記遊技球排出口の径は、遊技球検出部の球通過感知穴の大きさと実質的に同一に設定されることが好ましい。これにより、前記課題が好適に解決できる上に、球検出器の破損や破壊を防止する効果がある。
【００１２】
請求項６の払出装置の球送り部材の上流にある前記通路の断面積を狭くすることが好ましい。これにより、前記課題が好適に解決できる上に、遊技球の球送り部材への球噛みを防止する効果がある。
【００１３】
請求項７の払出装置の球送り部材のある前記通路の内部を狭くしたことが好ましい。これにより、前記課題が好適に解決できる上に、従来技術の球払出装置と比較して、球送り部材の小型軽量化、モータの小型化により、払出装置全体の小型化、省電力化、コストダウン、球送りの高速化が可能になる効果がある。
【００１４】
請求項８の払出装置の前記遊技球排出口に設けられ、遊技球が通過すると検出信号を出力する遊技球検出器を備えることが好ましい。これにより、球検出器のチャタリングを防止でき、衝突による検出器の故障を防止できる。
【００１５】
【発明の実施の形態】
以下、本発明の一実施形態の払出装置について、図面を参照して説明する。図１はパチンコ遊技機１の裏面図であり、パチンコ遊技機１は、前面枠２、前面枠２の裏面に取付枠３を介して着脱自在に装着される遊技盤４、遊技盤４の裏面に回動可能に装着される合成樹脂製の機構板５を備えている。この機構板５の裏面上部には景品球タンク６が固着され、景品球タンク６の下方にはパチンコ球を整列して導き出す樋状の誘導通路７が設けられると共に、その流下端に本実施形態に係るパチンコ球の払出装置８が配設されている。また、払出装置８の下方に払い出されたパチンコ球を前面枠２の前面の球受皿（図示略）に導くための送出通路９が設けられている。
【００１６】
次に図２を参照して、払出装置８について説明する。図２（ｃ）は球払出装置８の外観斜視図であり、図３はその分解斜視図である。この払出装置８は、正逆転可能な駆動モータ２０と、駆動モータ２０を取付けるケース２３等を備えたものである。角形箱状のケース２３は、角形の右ブロック２４、角形の中ブロック２５、角形の左ブロック２６とにより三分割されて、それらが連結したものである。このケース２３は、球供給口２７，２８と、球排出口２９，３０とを有する球通路３１，３２を内部に備えている。遊技球は球供給口２７，２８から入り球排出口２９，３０から排出される。球供給口２７，２８及び球排出口２９，３０は並列に２個ずつ設けられる。
【００１７】
右ブロック２４は、球供給口２７の半分を構成する角形の開口３３と、球排出口２９の半分を構成する角形の開口３４と、球通路３１の半分を構成する球通路溝３５と、中央部に横方向に形成される貫通孔３６と、球通路溝３５と貫通孔３６と連通し球通路溝３５の中間部から膨出し概ね中央部を占める大径であって側面に円弧面３７ａと正面に半円弧面３７ｂとを有する球送り部収容空間３７と、球送り部収容空間３７のある領域に形成され球通路溝３５を画定する壁面の角部に一体に形成する断面略Ｃ型であって球の流下方向に沿って対向するように設ける一対の壁面から内側に盛り上るように形成される突条部３８，３９（図７参照）と、各ブロックを結合するため横方向に貫通する貫通孔４０ａ，４０ｂと、各ブロックを結合するための結合穴４１ａ，４１ｂと、各ブロックを結合するためのねじ取付溝４２と、球通路溝３５の下部に臨設し概ね円形の球通過感知孔４３ａを有する球検出器４３を収容する球検出器収容溝４４と、を備えている。球送り部収容空間３７に球送り部材４６の片側部分が配置される（図３参照）。
【００１８】
中ブロック２５は、球供給口２７の半分を構成する角形の開口５０と、球供給口２８の半分を構成する角形の開口５１と、球排出口２９の半分を構成する角形の開口５２と、球排出口３０の半分を構成する角形の開口５３と、球通路３２の半分を構成する球通路溝５４と、球通路３３の半分を構成する球通路溝５５と、球通路溝３５の中間部と連通し概ね片側の下方部を占める大径の横方向の貫通孔であって側面に垂直面５６ａと水平面５６ｂと屈曲面５６ｃとを有する球送り部収容空間５６と、球送り部収容空間５６のある領域に形成され球通路溝５４を画定する壁面の角部に一体に形成する断面略Ｃ型であって球の流下方向に沿って対向するように設ける一対の壁面から内側に盛り上るように形成される突条部５８，５９（図７参照）と、球送り部収容空間５６のある領域に形成され壁面から内側に盛り上るように形成される突条部５８，５９と反対面側に設けられ球通路溝５５を画定する壁面の角部に形成する断面略Ｃ型であって球の流下方向に沿って対向するように設ける一対の壁面から内側に盛り上るように形成される突条部６０，６１（図７参照）と、前記結合穴４１ａ，４１ｂに嵌め込まれる結合凸部６２ａ，６２ｂと、結合凸部６２ａ，６２ｂと反対面側に設ける結合凸部６３ａ，６３ｂと、貫通孔４０ｂと連通し各ブロックを結合するため横方向に貫通する貫通孔６４と、各ブロックを結合するためのねじ取付溝６５と、球通路溝５４の下部に臨設し球検出器４３と、概ね円形の球通過感知孔４５ａを有する球検出器４５とを収容する球検出器収容溝６６と、球検出器収容溝６６と外部とを連通する配線取出孔６７と、を備えている。球送り部収容空間５６に球送り部材４６の軸部分が配置される（図３参照）。
【００１９】
左ブロック２６は、球供給口２８の半分を構成する角形の開口７０と、球排出口３０の半分を構成する角形の開口７１と、球通路３２の半分を構成する球通路溝７２と、中央部に横方向に形成される軸受部７３と、球通路溝７２の中間部から膨出し概ね中央部を占める大径であって側面に円弧面７４ａと正面に半円弧面７４ｂとを有する球送り部収容空間７４と、球送り部収容空間７４のある領域に形成され球通路溝７２を画定する壁面の角部に一体に形成する断面略Ｃ型（例えば、ここでは３面構成であるが曲面で構成されてもよい）であって球の流下方向に沿って対向するように設ける一対の壁面から内側に盛り上るように形成される突条部７５，７６（図７参照）と、貫通孔６４とねじ取付溝６５に夫々嵌め込まれて各ブロックを結合するため横方向に貫通する突出雌ネジ部７７ａ，７７ｂと、結合凸部６３ａ，６３ｂを嵌め込むための結合穴７８ａ，７８ｂと、球通路溝７２の下部に臨設し球検出器４５を収容する球検出器収容溝７９と、を備えている。球送り部収容空間３７に球送り部材４６の片側部分が配置される（図３参照）。
【００２０】
駆動モータ２０の回転軸８０は、多角形状孔８１に挿入固定される。球送り部材４６は、多角形状孔８１と挿入軸８２とを有する軸受８３がある。球送り部材４６は、軸穴８４を有する回転軸８０の軸線方向にある軸８５と、両端部に回転軸８０の軸線方向に対し直交する２枚の羽根８６及び８７とを有している。球送り部材４６の羽根８６及び８７は、その外周面に１個の賞球を一旦受け止める球受溝８８及び８９がそれぞれ３個ずつ、かつ等間隔に互い違いに周設されている。挿入軸８２が軸穴８４の一端部に挿入され、軸受部７３が軸穴８４の他端部に挿入されている。駆動モータ２０は取付部９０を介して右ブロック２４の側面に固定される。駆動モータ２０は球送り部材４６を回転駆動させるようになっている。
【００２１】
球送り部材４６を球送り部収容空間３７，５６，７４に両球通路３１，３２に臨むようにして直交状に配置し、球検出器４３及び４５を球検出器収容溝４４，６６，７９に配置し、球送り部材４６を軸受部７３及び軸受８３に軸支し、結合凸部６２ａ，６２ｂを結合穴４１ａ，４１ｂに嵌め込み、結合凸部６３ａ，６３ｂを結合穴７８ａ，７８ｂに嵌め込み、ねじをねじ取付溝４２及び６５を介して突出雌ネジ部７７ａ，７７ｂにねじこむことで、３つのブロック２４〜２６の三者を一体に合体できる。これにより、内部に屈曲した２条の球通路３１，３２等が形成される。球通路３１，３２は、球の流下方向は屈曲しているが、球の流下方向と直交する通路断面積（径）は、１個の賞球（又は貸球の場合もある）が流下し得る大きさに設定されており、突条部３８，３９，５８，５９，６０，６１，７５，７６のある領域より上の領域では、通路断面積は遊技球の径よりも大きく遊技球のガタが生じるが、突条部３８，３９，５８，５９，６０，６１，７５，７６のある領域では、通路断面積が狭くなっており、遊技球のガタが少ないか又はガタが無い状態である。パチンコ遊技機前面の球受皿（図示略）に賞球を払出すようにしている。
【００２２】
図７に示す通り、通路３１において、突条部３８，３９，５８，５９で遊技球Ｂを保持するように誘導し、通路３２において、突条部６０，６１，７５，７６で遊技球Ｂを保持するように誘導するようになっている。
【００２３】
上記の突条部３８，３９，５８，５９，６０，６１，７５，７６の変更例として図８（ａ）〜（ｆ）のものが挙げられる。図８（ａ）（ｂ）は、突条部９１を球通路３１の内壁の隅部を除いた中間部に形成した例であり、遊技球Ｂが４個の突起物９１に至ると、それらの突起物９１が遊技球Ｂを抱え込むように保持しながら流下させるようになっている。図８（ｃ）（ｄ）は、平面視で三角形をなす傾斜面９２を球通路３１の内壁の隅部から断面積を縮径させながら傾斜面９２を下方内側に傾斜させてゆく例であり、遊技球が４枚の傾斜面９２の下限に至ると、傾斜面９２の下限から下方に連続する非傾斜面９３が遊技球Ｂを抱え込むように保持しながら流下させるようになっている。図８（ｅ）（ｆ）は平面視で台形をなす傾斜面９４を球通路３１の内壁の側面から断面積を縮径させながら傾斜面９４を下方内側に傾斜させてゆく例であり、遊技球が４枚の傾斜面９４の下限に至ると、傾斜面９４の下限から下方に連続する非傾斜面９５が遊技球Ｂを抱え込むように保持しながら流下させるようになっている。ここでいう傾斜面とは球の流下方向に対して面が傾斜しているものであり、非傾斜面とは球の流下方向に対して傾斜していないものである。以上の例ではいずれも遊技球Ｂと壁面とは４点接触で構成してあるが、制限されるものではない。なお、上記変更例は、球通路３２にも同様に適用できる。
【００２４】
球送り部収容空間３７の内壁面に球送り部材４６の両側縁と対向させて、両球通路３１，３２から球送り部材４６の球受溝８８，８９に受け入れられた賞球を１個ずつ両球通路３１，３２の中間位置へ寄せている。球送り部収容空間３７の下端には球通路３１，３２が設けられ、夫々両球通路３１，３２と連通している。
【００２５】
図３、図１０等の通り、球検出器４３，４５は前記球通路３１，３２から排出される賞球を検出するものであり、右ブロック２４と中ブロック２５の底面に跨って検出器４３が配置され、中ブロック２５と左ブロック２６に底面に跨って検出器４５が配置されている。夫々の検出器４３，４５は、それぞれ、センサチップ１００，１０１、１０２及び１０３が設けられている。そして賞球が球通過感知穴４３ａ，４５ａを通過したとき、賞球の個数がカウントされるようになっている。
【００２６】
次に払出装置８の動作及び効果を説明する。
図１に示したパチンコ遊技機１の球備蓄タンク２から流下した遊技球Ｂは、図９（ａ）に示す通り、ケース２３の球供給口２７，２８から球通路３１，３２の内部に充填される。このとき、上部は突条部が無く、遊技球Ｂがガタつきながら供給できるようになっており、球噛みを防止できる。また、球送り部材４６の羽根８６又は８７が、最下部の遊技球Ｂを下から支え、遊技球Ｂを静止状態に保持している。パチンコ遊技機１に備えられた賞球制御基板のマイクロコンピュータ（図示略）から駆動モータ２０に駆動指令信号が出力されると、駆動モータ２０は所定の量回転する。このとき、図９（ｂ）に示したように矢印Ｊ方向に回動するが、球送り部材４６の上流にある遊技球Ｂは突条部３８，３９，５８，５９及び６０，６１，７５，７６で軌道を狭められるので、線条存在区間内の遊技球の移動を円滑にでき、球送り部材４６での球噛み現象を防止できる。この球噛み現象を防止することで、駆動モータ２０を小型化でき、払出装置８の小型化、コストダウン、球送りの高速化が実現できる。
また、遊技球Ｂは球送り部材４６の球受溝８８及び８０９で保持されて下方に搬送され、球送り部材４６から離脱し、球検出器４３，４５に至る。このとき、遊技球Ｂは線条３８，３９，５８，５９及び６０，６１，７５，７６で軌道を狭められているので、球通路３１，３２を安定的に落下する。これにより、遊技球Ｂは、球検出器４３，４５に不規則に衝突しなくなるので、チャタリングと、球検出器４３，４５の破損が防止できる。球通過感知孔４３ａ，４５ａは、球通路３１，３２と実質的に同一の径であるので、球通過感知孔４３ａ，４５ａを通過する遊技球Ｂが円滑に落下でき、球検出器４３，４５に当たってセンサチップ１００〜１０３等の部分を破損させたり、落下中の揺動によるチャタリング等の検出誤差を生じないようになっている。
球排出口２９，３０を通過して外部に払いだされる遊技球の数は、遊技球Ｂが球通過感知孔４３ａ，４５ａを通過するときに、球検出器４３，４５で正確にカウントされたのち、球検出器４３，４５から検出信号が賞球制御基板のマイクロコンピュータ（図示略）に出力されて遊技球の払い出し動作が制御される。球受溝８８と８９とは６０度ずらせて固定されているので、駆動モータ２０が球送り部材４６を駆動すると、球排出口２９，３０からそれぞれ遊技球Ｂが１個ずつ交互に払い出される。
【００２７】
なお、本発明は、上述の実施形態に限定されるものではなく、本発明の技術的思想を逸脱しない範囲に於て、改変等を加えることが出来るものであり、それらの改変、均等物等も本発明の技術的範囲に含まれることとなる。なお、本実施形態では、球通路３１，３２の内部に線条３８，３９，５８，５９，６０，６１，７５，７６を設けた構造について説明したが、これに限定されるものではなく、球通路３１，３２の断面積を狭くする様々な構成を適用することで、同様の効果が得られる。例えば、断面積を一様に狭くすることもできるし、徐々に狭くすることもできる。
【図面の簡単な説明】
【図１】本発明が適用されるパチンコ遊技機の裏面図である。
【図２】（ａ）は同払出装置の内部構造を表わした底面図、（ｂ）は同平面図、（ｃ）は同斜視図、（ｄ）は同側面図である。
【図３】本実施形態の遊技球の払出装置の斜視図である。
【図４】（ａ）は払出装置の右ブロックの斜視図、（ｂ）は払出装置の右ブロックの反対側から見た斜視図である。
【図５】（ａ）は払出装置の中ブロックの斜視図、（ｂ）は払出装置の中ブロックの反対側から見た斜視図である。
【図６】（ａ）は払出装置の左ブロックの斜視図、（ｂ）は払出装置の左ブロックの反対側から見た斜視図である。
【図７】同払出装置の球送り部収容空間に隣接する領域における通路横断面図である。
【図８】（ａ）は突条部の変形例１である突起部の通路横断面図、（ｂ）はＶＩＩＩＢ−ＶＩＩＩＢ線断面図、（ｃ）は突条部の変形例２である傾斜面の通路横断面図、（ｄ）はＶＩＩＩＤ−ＶＩＩＩＤ線断面図、（ｅ）は突条部の変形例３である傾斜面の通路横断面図、（ｆ）はＶＩＩＩＦ−ＶＩＩＩＦ線断面図である。
【図９】（ａ），（ｂ）は払い出し装置の動作を示す説明図である。
【図１０】同払出装置の底面図である。
【符号の説明】
１…パチンコ機  ８…払出装置  ２０…駆動モータ  ２３…ケース
２４…右ブロック  ２５…中ブロック  ２６…左ブロック
２７，２８…球供給口  ２９，３０…球排出口  ３１，３２…球通路
３３，３４，５０，５１，５２，５３，７０，７１…開口
３５，５４，５５，７２…球通路溝
３７，５６，７４…球送り部収容空間
３８，３９，５８，５９，６０，６１，７５，７６…突条部
４３，４５…球検出器
４４，６６，７９…球検出器収容溝  ６７…配線取出孔
４６…球送り部材  ８０…回転軸  ８１…多角形状孔
８２…挿入軸  ８３…軸受  ８４…軸穴  ８５…軸
８６，８７…  羽根    ８８及び８９…球受溝
９１…突起物  ９２…傾斜面  ９３…非傾斜面  ９４…傾斜面
１００，１０１，１０２，１０３…センサチップ
【図１】
2004267276.tif 000003
【図２】
2004267276.tif 000004
【図３】
2004267276.tif 000005
【図４】
2004267276.tif 000006
【図５】
2004267276.tif 000007
【図６】
2004267276.tif 000008
【図７】
2004267276.tif 000009
【図８】
2004267276.tif 000010
【図９】
2004267276.tif 000011
【図１０】
2004267276.tif 000012